(57)【要約】【課題】復帰ばねの寿命を延長することのできるピアノハンドル式スイッチを提供する。【解決手段】押操作される押釦ハンドル３２が前面に設けられた器体５と、器体５の前面を覆う形で器体５の前方に配置され一端部が器体５に枢着されるとともに後面が押釦ハンドル３２に当接したピアノハンドル４３とを備える。器体５には、押釦ハンドル３２が押操作される方向の反対方向に押釦ハンドル３２を付勢するコイルスプリングからなる復帰ばね３７と、押釦ハンドル３２の押操作毎に接点を開閉する開閉機構とが収納されている。復帰ばね３７として板ばねを用いる場合に比べ、復帰ばね３７の特定の部位に疲労が蓄積しにくく、従って復帰ばね３７の寿命を延長することができる。【選択図】        図１
2004296230.tif 000002
【特許請求の範囲】
【請求項１】
押操作される押釦ハンドルが前面に設けられた器体と、器体の前面を覆う形で器体の前方に配置され一端部が器体に枢着されるとともに後面が押釦ハンドルに当接したピアノハンドルと、器体に収納され押釦ハンドルが押操作される方向の反対方向に押釦ハンドルを付勢するコイルスプリングからなる復帰ばねと、器体に収納され押釦ハンドルの押操作毎に接点を開閉する開閉機構とを備えることを特徴とするピアノハンドル式スイッチ。
【請求項２】
開閉機構は、復帰ばねの内側において揺動可能な反転ハンドルと、押釦ハンドルの押操作毎に反転ハンドルを交互に反対向きに揺動させる反転機構部と、反転ハンドルの動作に伴って接点を開閉する開閉部とを備え、復帰ばねは、軸方向から見て長方形状に形成されるとともに、互いに平行な１組の辺が反転ハンドルの揺動方向に直交する向きで器体に保持されていることを特徴とする請求項１記載のピアノハンドル式スイッチ。
【請求項３】
復帰ばねの押釦ハンドルから離れた側の端部に内面が当接して復帰ばねを位置決めする位置決め凹部を器体に設けたことを特徴とする請求項１記載のピアノハンドル式スイッチ。
【請求項４】
復帰ばねの押釦ハンドルから離れた側の端部に当接して復帰ばねを位置決めする位置決め突起を器体に設けたことを特徴とする請求項１記載のピアノハンドル式スイッチ。
【請求項５】
復帰ばねの一端部に内面が当接して復帰ばねを位置決めする位置決め凹部を押釦ハンドルに設けたことを特徴とする請求項１記載のピアノハンドル式スイッチ。
【請求項６】
復帰ばねの一端部に当接して復帰ばねを位置決めする位置決め突起を押釦ハンドルに設けたことを特徴とする請求項１記載のピアノハンドル式スイッチ。
【請求項７】
位置決め凹部の内面の形状は、復帰ばねの巻端の形状に合わせてあることを特徴とする請求項３記載のピアノハンドル式スイッチ。
【発明の詳細な説明】
【０００１】
【発明の属する技術分野】
本発明は、ピアノハンドルの押操作毎に接点を反転させるピアノハンドル式スイッチに関するものである。
【０００２】
【従来の技術】
従来から、ピアノハンドルの押操作毎に接点を反転させるピアノハンドル式スイッチとして、図２１に示すように、押操作される押釦ハンドル３２が前面に設けられた器体５を有するスイッチ本体１と、器体５の前方に配置され後面が押釦ハンドル３２に当接したピアノハンドル４３とを備えたピアノハンドル式スイッチが提供されている（例えば、特許文献１参照）。器体５には、押釦ハンドル３２の押操作毎に接点を開閉する開閉機構が収納されている。図２１の矢印で示すようにピアノハンドル４３を押操作すると、押釦ハンドル３２がピアノハンドル４３の後面に押されて器体５に押し込まれ、その度に接点が開閉されるようになっている。なお、構造の詳細については実施形態で説明する。ピアノハンドル４３は、押釦ハンドルよりも操作面が大型であって、指以外の部位を用いて押操作することも可能になっている。器体５には開閉機構の他、図２２に示すように、押釦ハンドル３２が押操作される方向の反対方向に押釦ハンドルを付勢する復帰ばね３７が収納されている。従来は復帰ばね３７として板ばねが用いられていた。
【０００３】
【特許文献１】
特開平６−１１１６８６号公報（第２−４頁、第２１図）
【０００４】
【発明が解決しようとする課題】
ここで、板ばねはコイルばねに比べて特定の部位に応力が集中しやすいため、復帰ばね３７として板ばねを用いると、復帰ばね３７の応力が集中する部位に疲労が蓄積されやすい。特に、図２３の矢印で示すようにピアノハンドル４３の端に押力が加わると、復帰ばね３７では押力が加わった位置に近いさらに狭い範囲に応力が集中してしまう。このため、クラックが発生して復帰ばね３７が破損するまでの復帰ばね３７の寿命が短くなっていた。
【０００５】
本発明は上記事由に鑑みてなされたものであり、その目的は、復帰ばねの寿命を延長することのできるピアノハンドル式スイッチを提供することにある。
【０００６】
【課題を解決するための手段】
請求項１の発明は、押操作される押釦ハンドルが前面に設けられた器体と、器体の前面を覆う形で器体の前方に配置され一端部が器体に枢着されるとともに後面が押釦ハンドルに当接したピアノハンドルと、器体に収納され押釦ハンドルが押操作される方向の反対方向に押釦ハンドルを付勢するコイルスプリングからなる復帰ばねと、器体に収納され押釦ハンドルの押操作毎に接点を開閉する開閉機構とを備えることを特徴とする。
【０００７】
請求項２の発明は、請求項１の発明において、開閉機構は、復帰ばねの内側において揺動可能な反転ハンドルと、押釦ハンドルの押操作毎に反転ハンドルを交互に反対向きに揺動させる反転機構部と、反転ハンドルの動作に伴って接点を開閉する開閉部とを備え、復帰ばねは、軸方向から見て長方形状に形成されるとともに、互いに平行な１組の辺が反転ハンドルの揺動方向に直交する向きで器体に保持されていることを特徴とする。
【０００８】
請求項３の発明は、請求項１の発明において、復帰ばねの押釦ハンドルから離れた側の端部に内面が当接して復帰ばねを位置決めする位置決め凹部を器体に設けたことを特徴とする。
【０００９】
請求項４の発明は、請求項１の発明において、復帰ばねの押釦ハンドルから離れた側の端部に当接して復帰ばねを位置決めする位置決め突起を器体に設けたことを特徴とする。
【００１０】
請求項５の発明は、請求項１の発明において、復帰ばねの一端部に内面が当接して復帰ばねを位置決めする位置決め凹部を押釦ハンドルに設けたことを特徴とする。
【００１１】
請求項６の発明は、請求項１の発明において、復帰ばねの一端部に当接して復帰ばねを位置決めする位置決め突起を押釦ハンドルに設けたことを特徴とする。
【００１２】
請求項７の発明は、請求項３の発明において、位置決め凹部の内面の形状は、復帰ばねの巻端の形状に合わせてあることを特徴とする。
【００１３】
【発明の実施の形態】
以下、本発明の実施の形態を図面に基づいて説明する。
【００１４】
（実施形態１）
本実施形態は、図１に示すように、押操作される押釦ハンドル３２が前面に設けられた器体５を有するスイッチ本体１と、器体５の前面を覆う形で器体５の前方に配置され一端部が器体５に枢着されるとともに後面が押釦ハンドル３２に当接したピアノハンドル４３とからなる。
【００１５】
ピアノハンドル４３は、図２に示すように全体として長方形板状に形成されている。器体５は直方体形状であって合成樹脂成形品からなり、押釦ハンドル３２が取り付けられたカバー５ａと、カバー５ａの後面側に結合されるボディ５ｂとを備える。カバー５ａの後面の短手方向（以下、「上下方向」と呼ぶ）の両端部には、それぞれ組立穴４が上下に貫設された組立片３が後方へ突設されている。また、ボディ５ｂの前面の上下方向の両端部にはそれぞれ組立突起６が設けられていて、組立穴４と組立突起６とが係合することによってボディ５ｂとカバー５ａとは結合している。
【００１６】
器体５の前面の左端部には、それぞれピアノハンドル４３を軸支するための上下に並んだ２個の軸部１９２が左前方へ突設されている。各軸部１９２の前端部は軸が上下に延びた円柱状に形成されている。ピアノハンドル４３の背面の左端部には、図３（ａ）に示すように、板ばねにより形成された金属製の軸受用ばね１９１ｂを嵌め込み用穴１９１ａに装着した軸受部１９１が設けてある。軸受用ばね１９１ｂには左方へ突出する抜け止め片１９１ｃが設けられ、嵌め込み用穴１９１ａの内周面の左側に設けられた係止穴１９０に抜け止め片１９１ｃが係止されることによって、軸受用ばね１９１ｂは嵌め込み用穴１９１ａに保持されている。また、軸受用ばね１９１ｂは、先端が嵌め込み用穴１９１ａ内に突出するように曲げ形成された突出部１９１ｄを有する。器体５の軸部１９２を軸受用ばね１９１ｂのばね力に抗して嵌め込み用穴１９１ａに嵌め込むと、図３（ｂ）に示すように軸部１９２が軸受部１９１に枢着される。
【００１７】
また、図２に示すように、カバー５ａの前面の右端部には、ピアノハンドル４３の後面の右端部に後方へ突設された抜け止め用の抜け止め片（図示せず）が挿入される挿入穴５４が、前後に３個並べて設けられている。抜け止め片の後端部に設けられた係止爪が挿入穴５４の周囲に後方から当接することによってピアノハンドル４３の回動範囲は規制されている。
【００１８】
図１の矢印で示すようにピアノハンドル４３を押操作すると、軸受部１９１と軸部１９２との枢着部を中心としてピアノハンドル４３が回動し、ピアノハンドル４３の後面によって押釦ハンドル３２が器体５に押し込まれる。
【００１９】
器体５の上下方向の寸法は、日本工業規格（ＪＩＳ  Ｃ８３０４参照）において大角連用形と称する埋込型の配線器具の施工時に用いる図示しない取付枠の窓穴に３個まで取付可能な寸法に形成されている。また、器体５の長手方向（以下、「左右方向」と呼ぶ）の寸法は取付枠の窓穴の短手方向の寸法に略等しく、カバー５ａの左右の両端面には、取付枠の窓穴の内周面に設けられた取付穴に係合可能な取付爪１１ａ（図５参照），１１ｂがそれぞれ一対ずつ突設されている。
【００２０】
以下、図４と図５とを用いてスイッチ本体１の構成について詳しく説明する。カバー５ａの前面には凹部５１が設けられ、凹部５１の底面には貫通穴５２が前後に貫設されている。凹部５１内には、軸方向から見て円形状に形成されたコイルばねからなる復帰ばね３７が収納されている。復帰ばね３７は、軸方向を前後方向へ向けて配置され後端が貫通穴５２を囲む位置に弾接するとともに前端が押釦ハンドル３２の後面に弾接することにより押釦ハンドル３２を前方へ付勢する。
【００２１】
押釦ハンドル３２の左右両端面の後端部にはそれぞれガイド突起３６が突設されている。カバー５ａの凹部５１の左右両側の内周面には、それぞれ後端部にガイド凹部３５が設けられ、ガイド突起３６がガイド凹部３５に挿入されることによって、押釦ハンドル３２は前後に移動自在とされるとともに前方への抜け止めがなされている。
【００２２】
ボディ５ｂの凹部は左右方向において３室に区画され、両端の区画はそれぞれ端子が収納される端子収納室１３，１４となり、中央部は押釦ハンドル２３の押操作毎に接点を開閉する開閉機構が収納される中央収納室２３となっている。
【００２３】
一方の端子収納室１３に収納された端子は第２の端子板１５と２個の鎖錠ばね１６と解除釦１７とからなり、他方の端子収納室１４に収納された端子は第１の端子板１８と２個の鎖錠ばね１９と解除釦２１とからなる。また、ボディ５ｂの各端子収納室１３，１４の後側には、それぞれ１対の電線挿入口１４ａが貫設されている。
【００２４】
各鎖錠ばね１６，１９は、それぞれ帯状の金属板を曲成することにより形成され、平坦な中央片１６ｃ，１９ｃと、中央片１６ｃ，１９ｃの一端に連続し中央片１６ｃ，１９ｃとともにＪ字状を形成する鎖錠片１６ａ，１９ａと、中央片１６ｃ，１９ｃの他端に連続し中央片１６ｃ，１９ｃに対して鎖錠片１６ａ，１９ａと同じ側に突出したＳ字状を中央片１６ｃ，１９ｃとともに形成する接触片１６ｂ，１９ｂとからなる。鎖錠片１６ｂ，１９ｂは中央片１６ｃ，１９ｃとの連結部位から先端に向かって中央片１６ｃ，１９ｃとの距離を広げるように傾斜している。
【００２５】
一方、各端子板１５，１８は、それぞれ平坦な連結片１５ａ，１８ａと、連結片１５ａ，１８ａにより連結されて互いに対向する圧接片１５ｂ，１８ｂおよび当接片１５ｃ，１８ｃとを備える。各鎖錠ばね１６，１９の中央片１６ｃ，１９ｃは、それぞれ端子板１５，１８の当接片１５ｃ，１８ｃに当接し、鎖錠片１６ａ，１９ａ及び接触片１６ｂ，１９ｂはそれぞれ圧接片１５ｂ，１８ｂに対向する。ここにおいて、各鎖錠ばね１６，１９は、それぞれ鎖錠片１６ａ，１９ａの接触片１６ｂ，１９ｃから離れた側の面をボディ５ｂの電線挿入口１４ａに向ける形で保持されている。
【００２６】
電線挿入口１４ａに電線が挿入されると、鎖錠片１６ａ，１９ａおよび接触片１６ｂ，１９ｂと端子板１５，１８の圧接片１５ｂ，１８ｂとの間で電線が挟持されることにより、電線と端子板１５，１８とが電気的に接続される。同時に、鎖錠片１６ａ，１９ａの先端が電線に食い込んで抜け止めがなされる。ねじを用いることなく鎖錠ばね１６，１９のばね力を利用して電線を接続することができるこの種の構造は速結端子と呼ばれている。
【００２７】
ここで、挿入穴５４に近接して配置される第２の端子板１５の押さえ片１５ｂの前端には案内片１５ｆが前方へ延設され、第２の端子板１５に接続された電線が挿入穴５４側へ突出してピアノハンドル４３の抜け止め片に干渉することが防止されている。
【００２８】
各解除釦１７，２１はそれぞれユリア樹脂のような熱硬化性樹脂を用いて形成され、それぞれ一方の端子板１５，１８に対応する一対の鎖錠ばね１６，１９の鎖錠片１６ａ，１９ａに跨るように接触可能な位置に配置されている。また、各一対の電線挿入口１４ａのそれぞれ近傍には解除穴１３ｂが貫設されている。解除穴１３ｂを通してマイナスドライバのような工具の先端部で解除釦１７，２１を押操作すれば、鎖錠片１６ａ，１９ａが解除釦１７，２１によって押圧されて撓み、第１及び第２の端子板１８、１５の圧接片１８ｂ，１５ｂから引き離されることにより、電線の保持力が弱まり、この状態で電線を引き抜くことができる。
【００２９】
第１の端子板１８には、中央収納室２３に挿入される接点保持片１８ｄが一体に形成され、接点保持片１８ｄの先端部の端子収納室１４から離れた側の面には固定接点２５が設けられている。また、第２の端子板１５には、中央収納室２３内において挿入される連絡片１５ｄと、連絡片１５ｄの後端に連続して中央収納室２３の後端面に沿って配置される支持片１５ｅとが形成されている。
【００３０】
中央収納室２３には、平板状に形成され、一端縁が第２の端子板１５の支持片１５ｅに接触導通した開閉子２４が収納されている。開閉子２４の両側縁にはそれぞれ突部２８が突設され、各突部２８はそれぞれ中央収納室２３の上下の内壁に設けられ前端側が広いＶ字状に形成された位置規制凹部２７に挿入されている。そして、開閉子２４は位置規制凹部２７によって規制された範囲内で支持片１５ｅに接触した一方の端縁を支点として回動自在となっており、開閉子２４には回動に伴って固定接点２５に離接する可動接点２９が設けられている。
【００３１】
また、中央収納室２３には、復帰ばね３７の内側であって開閉子２４の上側において器体５に揺動可能に保持される反転ハンドル３１が収納されている。反転ハンドル３１の上下にはそれぞれ前端に近い位置ほど左右の幅寸法が小さい三角形状の支点突起３１ｂが突設されている。カバー５ａの貫通穴５２の内周面の上下には、それぞれ後方へ開放された軸受凹部５０が設けられていて、反転ハンドル３１は、各支点突起３１ｂがそれぞれ軸受凹部５０に枢支されることでカバー５ａに対して揺動自在となっている。反転ハンドル３１の後面には凹部３１ａが設けられ、ここに圧縮コイルスプリングからなる反転ばね３０の前端部が収納されている。一方、開閉子２４の前縁にはばね座片２４ａが突設され、ばね座片２４ａは反転ばね３０の後端に挿入されている。つまり、反転ハンドル３１は反転ばね３０を介して開閉子２４に連結されており、反転ハンドル３１が揺動すると揺動範囲の中間で反転ばね３０が最も圧縮される位置を通過する。この位置の前後において開閉子２４に作用する反転ばね３０のばね力の向きが反転し、反転ばね３０のばね力により開閉子２４が急速に移動するようになっている。
【００３２】
押釦ハンドル３２の後側には、平板状のスライドカム受け板３９が、前面が押釦ハンドル３２の後面に対して隙間を空けて対向するように取り付けられている。スライドカム受け板３９は、復帰ばね３７の内側に収まる程度の大きさに形成されている。スライドカム受け板３９には結合穴３９ａが設けられ、押釦ハンドル３２の後面に設けられた図示しない結合突起が結合穴３９ａに挿入されることによって、スライドカム受け板３９は押釦ハンドル３２に対して位置決めされている。
【００３３】
スライドカム受け板３９と押釦ハンドル３２との間には、スライドカム３３が左右にスライド可能に保持されている。スライドカム３３はポリアセタールのような弾性に富む熱可塑性樹脂によりロ字状に成形してある。スライドカム３３の後面の左右の端にはそれぞれ掛合カム体３８が後方へ突設されている。反転ハンドル３１の前端には、掛合カム体３８に対応して２本の掛合突起３４が左右に並べて前方へ突設されている。スライドカム３３は、押釦ハンドル３２の押操作時に反転ハンドル３１との位置関係に応じてスライドカム受け板３９に沿って左右にスライドするようになっている。スライドカム受け板３９には、それぞれスライドカム３３の掛合カム体３８と反転ハンドル３１の掛合突起３４とを避けるための切り欠き３９ｂと貫通穴３９ｃとが設けられている。
【００３４】
図６（ａ）に示すように、スライドカム３３の上端部には、それぞればね性を有する一対のばね片３３ａが下方へ突設されている。各ばね片３３ａは、それぞれ先端に近い位置ほど互いの距離を縮めるように傾斜している。両ばね片３３ａの間には、押釦ハンドル３２の後面に突設された突起３２ａが挿入され、両ばね片３３ａの弾性によってスライドカム３３に復帰力が与えられている。
【００３５】
以下に、スイッチ本体１の動作を簡単に説明する。押釦ハンドル３２に押力が加わっておらず且つ接点が閉じた状態すなわち図６（ｂ）に示すように可動接点２９が固定接点２５に接触した状態では、反転ハンドル３１は右側へ倒れている。スライドカム３３は可動範囲の中央に位置し、スライドカム３３の左側の掛合カム体３８は反転ハンドル３１の左側の掛合突起３４よりも左側に位置している。この状態からピアノハンドル４３を押操作すると、押釦ハンドル３２がピアノハンドル４３から押力を受けて復帰ばね３７に抗してスライドカム３３とともに器体５に押し込まれる。すると反転ハンドル３１は、左側の掛合突起３４がスライドカム３３によって下方へ押されることにより、支点突起３１ｂの前端を中心として左回りに回動する。反転ハンドル３１の回動に伴って、スライドカム３３の左側の掛合カム体３８が反転ハンドル３１の掛合突起３４に押され、スライドカム３３は左側へスライドする。そして、図７に示すように反転ハンドル３１の右側の掛合突起３４がスライドカム３３の右側に入り込んで反転ハンドル３１が左側に倒れると、反転ばね３０が反転して開閉子２４が右側へ倒れ、可動接点２９が固定接点２５から離れる。つまり、接点が開成される。その後、ピアノハンドル４３への押力を解除すると、復帰ばね３７のばね力により図８（ｂ）に示すように押釦ハンドル３２が押し戻され、ピアノハンドル４３も押釦ハンドル３２に押されてもとの位置に復帰する。同時にスライドカム３３も反転ハンドル３１から離れ、ばね片３３ａのばね力によって図８（ａ）に示すように可動範囲の中央部に復帰する。復帰後、スライドカム３３の右側の掛合カム体３８は反転ハンドル３１の右側の掛合突起３４よりも右側に位置する。
【００３６】
一方、図８のように接点が開いているときにピアノハンドル４３を押操作すると、上述の動作と同様であって左右を逆転させた動作によって反転ハンドル３１が回動し、接点が閉成される。つまり、押釦ハンドル３２の押操作毎に接点が開閉するのであって、反転ハンドル３１と、スライドカム３３と、反転ばね３０と、開閉子２４と、可動接点２９と、固定接点２５とが開閉機構を構成する。また、押釦ハンドル３２の押操作毎に反転ハンドル３１が反転するのであって、スライドカム３３が反転機構部を構成し、反転ばね３０と開閉子２４と可動接点２９と固定接点２５とが開閉部を構成する。
【００３７】
上記構成によれば、復帰ばね３７としてコイルスプリングが用いられているから、復帰ばね３７として板ばねを用いる場合に比べて復帰ばね３７の特定の部位に応力が集中しにくい。また、図９の矢印で示すようにピアノハンドル４３の上下の端が押操作された場合にも、復帰ばね３７は広範囲に亙って変形するから狭い範囲に応力が集中することがない。従って、復帰ばね３７の特定の部位に疲労が蓄積されにくくなるから復帰ばね３７の寿命を延長することができる。
【００３８】
（実施形態２）
本実施形態は復帰ばね３７の形状が実施形態１とは異なる。その他の構成は実施形態１と同様であるので、同じ符号を付して説明を省略する。
【００３９】
本実施形態の復帰ばね３７は、図１０に示すように、軸方向から見て長方形状に形成されるとともに、互いに平行な１組の辺が反転ハンドル３１の揺動方向に直交するように配置されている。
【００４０】
ここで、図９に示すように反転ハンドル３１の上下の端が押操作された場合には、復帰ばね３７が曲がって反転ハンドル３１に干渉しやすい。復帰ばね３７が反転ハンドル３１に干渉すると、操作時に違和感が生じる。上記構成によれば、図１１に示す実施形態１の場合に比べ、図１２に示すように反転ハンドル３１の揺動方向における復帰ばね３７の幅寸法を同じとしながらも、反転ハンドル３１と復帰ばね３７との間の距離Ｄを広くとることができる。従って、復帰ばね３７と反転ハンドル３１とを互いに干渉しにくくして違和感の発生を防止することができる。
【００４１】
なお、実施形態１及び２において、復帰ばね３７の後端部が収納される図１３及び図１４に示すような環状の位置決め凹部５５や、復帰ばね３７の内周に当接して復帰ばね３７を位置決めする図１５及び図１６に示すような環状の位置決め突起５６をカバー５ａに設けてもよい。又は、復帰ばね３７の後端部が収納される図１７に示すような位置決め凹部３２ｂや、復帰ばね３７の内周に当接して復帰ばね３７を位置決めする図１８に示すような位置決め突起３２ｃを押釦ハンドル３２の後面に設けてもよい。この構成を採用すれば、組立時に復帰ばね３７を位置決めすることにより復帰ばね３７の位置ずれが防止されるから、組み立てが容易になる。特に、位置決め突起５６，３２ｃを設ける場合には従来品の金型に凹部を設けるだけで実施することができるから、実施のためのコストが低くて済む。
【００４２】
ここで、カバー５ａの復帰ばね３７の後端面に対する接触面が平坦であった場合、復帰ばね３７の押釦ハンドル３２及びカバー５ａに対する接触圧は復帰ばね３７の巻端の位置で高くなるから、押釦ハンドル３２を押す位置によって反発力が異なることにより操作時に違和感が生じることが考えられるが、図１９及び図２０に示すように復帰ばね３７の巻端の形状に合わせて形成され復帰ばね３７の後端部が収納される位置決め凹部５７を器体５に設ければ、復帰ばね３７の巻端の影響による操作時の違和感が低減される。復帰ばね３７の巻端の形状に合わせた位置決め凹部５７の具体的な形状は、例えば底面を反転ばね３０の巻端部に沿った傾斜面とした形状である。
【００４３】
【発明の効果】
請求項１の発明は、押操作される押釦ハンドルが前面に設けられた器体と、器体の前面を覆う形で器体の前方に配置され一端部が器体に枢着されるとともに後面が押釦ハンドルに当接したピアノハンドルと、器体に収納され押釦ハンドルが押操作される方向の反対方向に押釦ハンドルを付勢するコイルスプリングからなる復帰ばねと、器体に収納され押釦ハンドルの押操作毎に接点を開閉する開閉機構とを備えるので、復帰ばねとして板ばねを用いる場合に比べ、復帰ばねの特定の部位に疲労が蓄積しにくく、従って復帰ばねの寿命を延長することができる。
【００４４】
請求項２の発明は、請求項１の発明において、開閉機構は、復帰ばねの内側において揺動可能な反転ハンドルと、押釦ハンドルの押操作毎に反転ハンドルを交互に反対向きに揺動させる反転機構部と、反転ハンドルの動作に伴って接点を開閉する開閉部とを備え、復帰ばねは、軸方向から見て長方形状に形成されるとともに、互いに平行な１組の辺が反転ハンドルの揺動方向に直交する向きで器体に保持されているので、復帰ばねが軸方向から見て円形に形成されている場合に比べて、反転ハンドルの揺動方向での復帰ばねの幅寸法が同じ場合に、反転ハンドルの揺動方向からずれた方向での反転ハンドルと復帰ばねとの距離を大きくとって復帰ばねと反転ハンドルとを互いに干渉しにくくすることができる。
【００４５】
請求項３の発明は、請求項１の発明において、復帰ばねの押釦ハンドルから離れた側の端部に内面が当接して復帰ばねを位置決めする位置決め凹部を器体に設けたので、組立時に復帰ばねを位置決めすることにより復帰ばねの位置ずれが防止されるから、組み立てが容易になる。
【００４６】
請求項４の発明は、請求項１の発明において、復帰ばねの押釦ハンドルから離れた側の端部に当接して復帰ばねを位置決めする位置決め突起を器体に設けたので、組立時に復帰ばねを位置決めすることにより復帰ばねの位置ずれが防止されるから、組み立てが容易になる。また、従来品の金型に凹部を設けるだけで実施することができるから、実施のためのコストが低くて済む。
【００４７】
請求項５の発明は、請求項１の発明において、復帰ばねの一端部に内面が当接して復帰ばねを位置決めする位置決め凹部を押釦ハンドルに設けたので、組立時に復帰ばねを位置決めすることにより復帰ばねの位置ずれが防止されるから、組み立てが容易になる。
【００４８】
請求項６の発明は、請求項１の発明において、復帰ばねの一端部に当接して復帰ばねを位置決めする位置決め突起を押釦ハンドルに設けたので、組立時に復帰ばねを位置決めすることにより復帰ばねの位置ずれが防止されるから、組み立てが容易になる。従来品の金型に凹部を設けるだけで実施することができるから、実施のためのコストが低くて済む。
【００４９】
請求項７の発明は、請求項３の発明において、位置決め凹部の内面の形状は、復帰ばねの巻端の形状に合わせてあるので、復帰ばねの巻端の形状に起因する操作時の違和感を抑えることができる。
【図面の簡単な説明】
【図１】本発明の実施形態１を示す一部破断した側面図である。
【図２】同上を示す分解斜視図である。
【図３】同上のピアノハンドルとスイッチ本体との結合部を示す断面図であり、（ａ）はピアノハンドルとスイッチ本体とを分離した状態を示し、（ｂ）はピアノハンドルとスイッチ本体とを結合した状態を示す。
【図４】同上に用いられるスイッチ本体を示す分解斜視図である。
【図５】同上に用いられるスイッチ本体を示す断面図である。
【図６】同上の接点が閉じた状態を示す動作説明図であり、（ａ）はスライドカムと押釦ハンドルとを後方から見た状態を示し、（ｂ）は開閉機構の状態を示す。
【図７】図６の状態から押釦ハンドルに押力が加わった状態を示す動作説明図であり、（ａ）はスライドカムと押釦ハンドルとを後方から見た状態を示し、（ｂ）は開閉機構の状態を示す。
【図８】同上の接点が開いた状態を示す動作説明図であり、（ａ）はスライドカムと押釦ハンドルとを後方から見た状態を示し、（ｂ）は開閉機構の状態を示す。
【図９】同上においてピアノハンドルの端が押操作された状態を示す一部破断した側面図である。
【図１０】本発明の実施形態２に用いられるスイッチ本体を示す分解斜視図である。
【図１１】実施形態１の復帰ばねと反転ハンドルとを示す正面図である。
【図１２】実施形態２の復帰ばねと反転ハンドルとを示す正面図である。
【図１３】同上の別の形態に用いられるカバーを示す斜視図である。
【図１４】図１３のカバーを用いたスイッチ本体を示す断面図である。
【図１５】同上のさらに別の形態に用いられるカバーを示す斜視図である。
【図１６】図１５のカバーを用いたスイッチ本体を示す断面図である。
【図１７】同上のさらに別の形態に用いられるスイッチ本体を示す断面図である。
【図１８】同上のさらに別の形態に用いられるスイッチ本体を示す断面図である。
【図１９】同上のさらに別の形態に用いられるカバーを示す斜視図である。
【図２０】図１９のカバーを用いたスイッチ本体を示す断面図である。
【図２１】従来例を示す一部破断した側面図である。
【図２２】同上に用いられるスイッチ本体を示す断面図である。
【図２３】同上においてピアノハンドルの端が押操作された状態を示す一部破断した側面図である。
【符号の説明】
５  器体
２４  開閉子
２５  固定接点
２９  可動接点
３０  反転ばね
３１  反転ハンドル
３２  押釦ハンドル
３３  スライドカム
３７  復帰ばね
４３  ピアノハンドル
【図１】
2004296230.tif 000003
【図２】
2004296230.tif 000004
【図３】
2004296230.tif 000005
【図４】
2004296230.tif 000006
【図５】
2004296230.tif 000007
【図６】
2004296230.tif 000008
【図７】
2004296230.tif 000009
【図８】
2004296230.tif 000010
【図９】
2004296230.tif 000011
【図１０】
2004296230.tif 000012
【図１１】
2004296230.tif 000013
【図１２】
2004296230.tif 000014
【図１３】
2004296230.tif 000015
【図１４】
2004296230.tif 000016
【図１５】
2004296230.tif 000017
【図１６】
2004296230.tif 000018
【図１７】
2004296230.tif 000019
【図１８】
2004296230.tif 000020
【図１９】
2004296230.tif 000021
【図２０】
2004296230.tif 000022
【図２１】
2004296230.tif 000023
【図２２】
2004296230.tif 000024
【図２３】
2004296230.tif 000025